(57)【特許請求の範囲】
【請求項１】
発光源が内装された照明本体と、この照明本体の両端面に回動可能に設けられた一対の口金部とを有した直管型発光源内装ランプにおいて、
前記口金部のそれぞれは、
板状の基部から前記基部より小径の柱状の台座部が立設し、前記台座部の端面に電極片が設けられかつ側面にくびれが形成された回動部材と、
一端面側が他端面側よりも拡径された開口を有し、前記開口の周縁から平面視における中心方向にむけて回動制限爪が突出したリング部材とを含み、
前記リング部材は、前記回動部材のくびれた部分に前記回動制限爪が収容されるように、前記台座部が前記開口の前記一端面側から挿通されて前記他端面側から突出し、かつ前記基部が前記開口の拡径された部分に収容された状態で、前記照明本体の端面に当接される直管型発光源内装ランプ。
【請求項２】
前記リング部材は前記回動制限爪の部分が前記照明本体にネジ止めされている、請求項１に記載の直管型発光源内装ランプ。
【請求項３】
前記口金部のそれぞれは、前記回動部材の回動位置を固定する回動位置決め手段をさらに備え、
この回動位置決め手段は、
前記回動部材の基部と、前記照明本体の端面との一方より他方に向けて突出した位置決め突起と、他方において同一円周上に複数形成された位置決め凹部とを組み合わせて、位置決め突起を複数の位置決め凹部のいずれかに選択的に嵌入れる構成としている、請求項１に記載の直管型発光源内装ランプ。
【請求項４】
前記位置決め突起は、前記回動部材の基部、前記照明本体の端面の一方に形成された切欠突片の先端に形成され、
前記回動部材の回動操作時には、前記切欠突片を弾性変形させて前記位置決め突起に弾性力を付与させる構成にしている、請求項３に記載の直管型発光源内装ランプ。
【発明の詳細な説明】
【技術分野】
【０００１】
本発明は、発光源が内装された照明本体の両端面に一対の口金部を回動可能に設けて、配光を調節可能にした発光源内装ランプの改良に関する。
【背景技術】
【０００２】
近年、省エネ志向の高まりから、従来タイプの照明器具の替わりに、発光ダイオード等を利用した低消費電力タイプのものが用いられる場合が増えている。直管形蛍光ランプも例外ではなく、これに類似した外観を有し、発光ダイオードなど実装した基板が内装された直管形発光源内装ランプが開発、市販され始めている。
【０００３】
しかしながら、発光ダイオードは蛍光ランプとは発光原理が異なっており、周囲全体にではなく、特定の範囲に光を照射する性質なので、直管形ランプとした場合には、ランプの直下付近だけが明るく照らされる。ところがランプの利用形態や接地場所によっては、ランプの直下以外を照らしたいという要望もある。このような要望に対応した従来技術の例として、次の特許文献には、直管状のＬＥＤユニットに取り付けられる口金を、ＬＥＤユニットの軸線に対して回動できるようにしたＬＥＤランプの開示がある。この場合、口金の角度によって、照明器具に対するＬＥＤユニットの角度も変わるので、所望の配光が得られる。
【先行技術文献】
【特許文献】
【０００４】
【特許文献１】再公表特許Ｗ２００９−１５４１６２号公報
【発明の概要】
【発明が解決しようとする課題】
【０００５】
上記特許文献によれば、ＬＥＤユニットに対して口金を回動自由にしているが、そのような回動のため、ＬＥＤユニットと口金との電気的接続にブラシ機構が用いられている。しかし、ブラシ機構等を採用すれば製品がコスト高になるという問題がある。またＬＥＤユニットと口金とを配線ケーブルによって電気的接続する構成についての記載もあるが、そうすると配光調節の際に誤って配線ケーブルが断線することも考えられる。また、口金を回動自由にしたランプでは、照明器具に取り付けようとした際に、ランプ両端で口金の回動位置を一致させることが難しいので、作業に手間取ることも考えられる。
【０００６】
そこで本発明は、照明本体に対して口金部を回動調節可能としたランプにおいて、口金部の電極片とを電気接続するリード線の断線が確実に防止されたランプを得ることを第１の目的とし、両側の口金部の回動位置を容易に一致させることができるランプを得ることを第２の目的とする。
【課題を解決するための手段】
【０００７】
本発明による発光源内装ランプは、発光源が内装された照明本体と、この照明本体の両端面に回動可能に設けられた一対の口金部とを有し、口金部のそれぞれは、板状の基部から前記基部より小径の柱状の台座部が立設し、前記台座部の端面に電極片が設けられかつ側面にくびれが形成された回動部材と、一端面側が他端面側よりも拡径された開口を有し、前記開口の周縁から平面視における中心方向にむけて回動制限爪が突出したリング部材とを含み、前記リング部材は、前記回動部材のくびれた部分に前記回動制限爪が収容されるように、前記台座部が前記開口の前記一端面側から挿通されて前記他端面側から突出し、かつ前記基部が前記開口の拡径された部分に収容された状態で、前記照明本体の端面に当接される。
【０００８】
前記リング部材は前記回動制限爪の部分が前記照明本体にネジ止めされていてもよい。
【０００９】
口金部のそれぞれは、回動部材の回動位置を固定する回動位置決め手段をさらに備え、この回動位置決め手段は、回動部材の基部と、照明本体の端面との一方より他方に向けて突出した位置決め突起と、他方において同一円周上に複数形成された位置決め凹部とを組み合わせて、この位置決め突起を複数の位置決め凹部のいずれかに選択的に嵌入れる構成にするとよい。
【００１０】
前記位置決め突起は、回動部材の基部、照明本体の端面の一方に形成された切欠突片の先端に形成され、回動部材の回動操作時には、切欠突片を弾性変形させて位置決め突起に弾性力を付与させる構成にするとよい。
【発明の効果】
【００１１】
本発明では、回動部材をリング部材によって照明本体の端面に圧接させて保持し、その回動部材およびリング部材に回動制限機構を設けている。この機構によって回動部材の回動範囲外の回動が防止されるので、回動部材の電極片と照明本体との電気的接続にリード線を用いても、その断線が確実に防止できる。
【００１２】
回動部材、リング部材の一方に形成された回動制限爪と、他方に形成された回動防止溝とを組み合わせて回動制限機構を構成すれば、部品点数が増加しないので、製品が低コストで提供できる。
【００１３】
回動位置決め手段を設ければ、ランプの両側で回動位置を容易に一致させることができる。そして調節後はその回動位置が保たれて簡単にはズレないので、ランプの清掃などが気安く行える。
回動位置決め手段を、回動部材の基部と照明本体の端面の一方より他方に向けて突出した位置決め突起と、この位置決め突起を係止するために他方において同一円周上に複数形成された位置決め凹部とを組み合わせて構成すれば、部品点数が増加しないので、製品が低コストで提供できる。
【００１４】
位置決め突起を、回動部材の基部、照明本体の端面の一方に形成された切欠突片の先端に形成すれば、その切欠突片が弾性力と押圧力とによって、位置決め突起が滑らかに前後動する。そのため、回動調整にクリック感を持たせることができ、操作性が向上する。
【図面の簡単な説明】
【００１５】
【図１】（ａ）〜（ｃ）はそれぞれ、本発明によるランプの部分斜視図、縦断面図、および口金部の分解図である。
【図２】（ａ）は、本発明によるランプの部分側面図（接地側）であり、（ｂ）〜（ｃ）はその口金部をそれぞれ標準位置、＋２５°、−２５°に回動させた状態を示す正面図である。
【図３】（ａ）は、本発明によるランプの部分斜視図（給電側）、（ｂ）はその部分側面図、（ｃ）は正面図である。
【図４】（ａ）〜（ｄ）は、口金部を構成する回動部材のそれぞれ背面図、側面縦断面図、正面図、および側面横断面図である。
【図５】（ａ）〜（ｃ）は、口金部を構成するリング部材のそれぞれ背面図、側面縦断面図、正面図、および側面横断面図である。
【図６】（ａ）〜（ｃ）は、照明本体の端面を構成するエンドキャップのそれぞれ背面図、側面縦断面図、正面図、および側面横断面図である。
【図７】（ａ）、（ｂ）は、口金部全体のそれぞれ側面図と、側面縦断面図である。
【図８】（ａ）、（ｂ）は、本発明によるランプが装着される接地用ソケット、給電用ソケットの斜視図である。
【発明を実施するための形態】
【００１６】
図１（ａ）〜図１（ｃ）、図２（ａ）、図２（ｂ）、図３（ａ）、図３（ｂ）を参照しながら、まず本発明による発光源内装ランプの基本構成を説明する。ここに図１（ａ）〜図１（ｃ）、図２（ａ）、図２（ｂ）には接地用電極を備えた接地用口金部１３Ａを示し、図３（ａ）、図３（ｂ）には給電用電極を備えた給電用口金部１３Ｂを示している。なお、これらの図では、一方の口金部のみを示し、他方の口金部は省略している。また図２（ａ）〜（ｄ）では、参考のため、図の状態では見えない場所にある位置決め凹部と、位置決め突起とを透視して破線、および黒丸で示している。
【００１７】
以下、Ｇ１３口金に類似した口金部を備える発光源内装ランプを例に説明するが、Ｒ１７ｄ口金に類似した口金部を備える発光源内装ランプの場合にも、本発明はそのまま適用できる。
【００１８】
ランプ１は、発光素子１１ａが実装された基板１１を、透光カバー１２が設けられた照明本体１０をなす管内に収容し、その両端面には口金部１３がそれぞれ回動可能に取り付けられた基本構造を有する。
【００１９】
照明本体１０は、断面が半円である半円筒形の放熱部材１４に、断面が半円である半円筒形の透光カバー１２を向かい合わせて接合し、端面のそれぞれにはエンドキャップ１０ａが嵌合固定される。これにより全体として直管形になっている。放熱部材１４は、アルミ合金等の金属からなる。基板１１は、エポキシ等からなり、発光素子１１ａが透光カバー１２側に向くようにして、放熱部材１４に固定されている。透光カバー１２は、樹脂等からなり、ランプ１が所定の高さに配置されたときに、床面を良好に照らす配光特性となるように、フレネルレンズ模様１２ａが外壁面の長手方向に筋状に彫刻されている。なお透光カバー１２は、透明でも、乳白色でもよいが、そこに含有させる拡散剤の分量は、配光特性を考慮して定められる。
【００２０】
発光素子１１ａは一般に直流駆動であるが、ランプ１自体は、直流給電に対応した構成も、交流給電に対応した構成も可能である。前者であれば、照明器具（不図示）の本体側に電源回路を設ければよく、後者であればランプ１に同様な電源回路（不図示）を内蔵させればよい。この場合、電源回路は、基板１１の背後等に配置するとよい。
【００２１】
口金部１３は放熱部材１４の両側のエンドキャップ１０ａに後述する仕組みで回動可能に取り付けられている。この例では、図２（ｂ）〜図２（ｄ）に示すように、標準位置、＋２５°、−２５°に回動調節できる。
【００２２】
図１（ｃ）に示すように口金部１３は、回動部材１３ａと、この回動部材１３ａを保持するリング部材１３ｂとを含む。回動部材１３ａは、端面より一対の電極棒１３ｃが突出して設けられた略円柱形の台座部１３ａａと、この台座部１３ａａよりも外側に広がった基部１３ａｂとを有する。リング部材１３ｂは略円環形であり、その開口に回動部材１３ａの台座部１３ａａを挿通させた状態で、基部１３ａｂを収容して照明本体１０のエンドキャップ１０ａに圧接させて保持する。回動部材１３ａ、リング部材１３ｂ、およびエンドキャップ１０ａはいずれも、樹脂等よりなる。
【００２３】
回動部材１３ａは、電極棒１３ｃの近傍より、受金制限突起１３ａｃが突出して形成されている。具体的には、接地用口金部１３Ａの受金制限突起１３ａｃは、図１（ａ）、図２（ａ）に示すように、基板１１の幅方向と並行な長軸を持った楕円形の広がりを有するように形成されている一方、給電用口金部１３Ｂの受金制限突起１３ａｃは、図３（ａ）、図３（ｂ）に示すように、基板１１の幅方向に垂直な長軸を持った楕円形の広がりを有するように形成されている。このような受金制限突起１３ａｃが設けられた口金部１３は、その受金制限突起１３ａｃに対応した受穴２１ｂのない受金部には嵌らない。つまり受金制限突起１３ａｃは、発光源内装ランプが、従来の蛍光ランプを使用する照明器具等に誤って装着されるのを防止するものである。
【００２４】
また接地用口金部１３Ａの受金制限突起１３ａｃと、給電用口金部１３Ｂの受金制限突起１３ａｃとで形状を異ならせ、かつ接地用ソケット２Ａの受金部２１、給電用ソケット２Ｂの受金部２１にそれぞれ対応した受穴２１ｂを形成しておけば、接地側と給電側とを入れ違えた発光源内装ランプの誤装着も防止できる。なお、この実施例では、口金部１３の両方に受金制限突起１３ａｃを設けているが、これに限らず、いずれか一方のみに設けてもよい。
【００２５】
受金制限突起１３ａｃは、根元から折る、あるいは引き抜くなど手指等によって口金部１３から簡単に除去できるように形成するとよい。そのようにすれば、このランプ１が使えるように、従来の蛍光ランプ用の照明器具等を改造する場合、その照明器具のソケットに対して、受金制限突起１３ａｃを取り除いたランプ１が嵌るので、ソケットを付け替える必要がなくなる。
【００２６】
また、口金部１３の少なくとも一方には、ソケット２に設けられた口金制限突条２１ｃを受け入れる受溝１３ａｇを回動部材１３ａに形成するとよい。ここでは、給電用口金部１３Ｂの回動部材１３ａのみにその受溝１３ａｇが形成されている。このとき、対応するソケット２の受金部２１には口金制限突条２１ｃが設けられるので、その口金制限突条２１ｃを受け入れる受溝１３ａｇのない口金部１３は当然嵌らない。つまり口金制限突条２１ｃは、従来の蛍光ランプが、このランプ１を使用する照明器具等に誤って装着されるのを防止するものであり、これに対応した受溝１３ａｇは、その制限を受けないようにするものである。またこの実施例では、後述のように口金制限突条２１ｃを給電用ソケット２Ｂにのみ設け、かつそれに対応した受溝１３ａｇを給電用口金部１３Ｂのみに設けているので、ランプ１を照明器具等に装着するときに、接地用口金部１３Ａと給電用口金部１３Ｂとを間違えて装着することも防止できる。なお、交流駆動に対応したランプと直流駆動に対応したランプ（図示なし）とでは、受溝１３ａｇの個数を異ならせるとよい。ここで例示している交流駆動に対応したランプでは受溝１３ａｇを２カ所としているので、直流駆動に対応したランプでは例えば受溝１３ａｇを１カ所としてもよい。
【００２７】
次いで接地用口金部１３Ａについて、口金部１３を照明本体１０の軸周りに回動可能とするための詳細な構成を説明する。その仕組みは給電用口金部１３Ｂも同様である。
【００２８】
回動部材１３ａは、図４（ａ）〜図４（ｄ）に示すように、台座部１３ａａが所定の円柱面より外側に突出しない略円柱形であり、基部１３ａｂが台座部１３ａａの開口周囲にフランジ状に広がっている。回動部材１３ａの端面より電極棒１３ｃや受金制限突起１３ａｃが突出している。
【００２９】
一方、リング部材１３ｂは、図５（ａ）〜図５（ｃ）に示すように、開口１３ｂｄを有した略円環形であり、その径は表面側では上記円柱の径、つまり台座部１３ａａの最大径に合致し、かつ裏面側では回動部材１３ａの基部１３ａｂを収容できるように拡径されている。またこの拡径部１３ｂｅの厚みは、回動部材１３ａの基部１３ａｂの厚みと等しくされている。
【００３０】
エンドキャップ１０ａは、図６（ａ）〜図６（ｃ）に示すように、中心部にリード線挿通孔１０ａｅが形成された円盤形であり、後方から円筒を上下に分割した形状の本体差し込み部１０ａａが突出している。エンドキャップ１０ａは、２段に形成された円盤の１段目がリング部材１０ａ端部に内嵌して、２段目がその端部を受け止める。
【００３１】
よって、図１（ｃ）、図７（ａ）、図７（ｂ）のように、回動部材１３ａの台座部１３ａａを裏側から挿通させたリング部材１３ｂを、照明本体１０のエンドキャップ１０ａにネジ３０によって固着されれば、回動部材１３ａの基部１３ａｂはリング部材１３ｂに収容されて照明本体１０のエンドキャップ１０ａに圧接される。ただし回動部材１３ａの基部１３ａｂはリング部材１３ｂにも照明本体１０のエンドキャップ１０ａにも固着されていないので、台座部１３ａａにそれらとの摩擦力を上回る回転力を与えれば、回動部材１３ａは回動でき、これにより電極棒１３ｃも回動する。
【００３２】
ことに本発明では、照明器具の配光を調節するために、照明本体１０に対して口金部１３を回動調節するのであるから、その回動範囲は、標準位置から±３０度もあれば実用上十分である。また、その程度であれば、口金部１３の電極棒１３ｃと、照明本体１０内の基板１１とを、ブラシ等の特別な導通手段を用いずに、単にリード線（図示なし）によって結線できる。
【００３３】
そして、そのようなリード線を断線させないための手段として、ここでは、リング部材１３ｂの内周縁に、中心方向に突出した回動制限爪１３ｂａを形成するとともに、回動部材１３ａの回動範囲ではこの回動制限爪１３ｂａに干渉しないように、回動部材１３ａの台座部１３ａａおよび基部１３ａｂの一部を除去して切欠部１３ａｄを形成している。ここでは、回動制限爪１３ｂａ、切欠部１３ａｄはそれぞれ対面する２カ所に設けている。
【００３４】
リング部材１３ｂ側の回動制限爪１３ｂａは、リング部材１３ｂを平面視したときに、リング部材１３ｂの内周縁より中心方向に舌状に突出した形状であり、リング部材１３ｂの表から裏までの厚みを有する。またその中心部には、リング部材１３ｂを照明本体１０にネジ止めするためのネジ孔１３ｂｂが形成されている。これに対して、照明本体１０のエンドキャップ１０ａにもネジ孔１０ａｂが形成されている。
【００３５】
一方回動部材１３ａ側の切欠部１３ａｄは、回動範囲においてのみ、回動部材１３ａを回動させたときに、台座部１３ａａおよび基部１３ａｂが回動制限爪１３ｂａと干渉するのを防止する。平面視すれば、切欠部１３ａｄの中間部は、回動部材１３ａの回動範囲に等しい中心角の円弧である。このような切欠部１３ａｄが対面して２カ所に形成された回動部材１３ａは、両側がくびれた瓢箪形の広がりとなるので、回動操作をするためのツマミとして適する。なお、この円弧の２等分線は２つの電極棒１３ｃを結ぶ直線に一致させている。
【００３６】
このような回動制限爪１３ｂａと切欠部１３ａｄを組み合わせれば、回動部材１３ａを限界まで回動させると、回動制限爪１３ｂａが切欠部１３ａｄの境界面にぶつかって、それ以上の回動が防止される。ここでは、回動制限爪１３ｂａを、エンドキャップ１０ａとともに放熱部材１４にネジ止めしているので、回動部材１３ａを力強く回動させても、回動制限爪１３ｂａが簡単に破損しない丈夫な製品が得られる。
【００３７】
なお回動制限爪１３ｂａ、切欠部１３ａｄは上記構成に限定されず、その逆の配置、すなわち回動部材１３ａの台座部１３ａａより外方向に突出した回動制限爪１３ｂａと、回動部材１３ａの回動範囲ではこの爪に干渉しないように、リング部材１３ｂの内周縁の一部を除去してなる切欠部１３ａｄとを組み合わせて構成してもよい。
【００３８】
ここに回動部材１３ａの回動位置は、自由に調節できる必要はなく、予め用意された複数の位置から選択できれば充分である。また回転位置は製品の出荷時やソケットへの装着時にはランプ１の両側で一致させておく必要があることから、複数の回動位置から選択させる構成とする方が便利である。例えば回動範囲が標準位置から±２５°であれば、選択可能な位置は、標準、＋２５°、−２５°の３通り程度として、ソケットへの装着前に調節させ、その後は、その回動位置を保持する構成が望ましい。
【００３９】
このように回動位置を選択させるため、回動部材１３ａの基部１３ａｂの裏面に、３つの位置決め凹部１３ａｅが同一円周上に形成されている。つまり位置決め凹部１３ａｅは、標準位置、＋２５°、−２５°に対して１つずつ用意されている。また照明本体１０のエンドキャップ１０ａの表面には、回動部材１３ａの回動位置に従ってこの位置決め凹部１３ａｅのいずれかに嵌合する位置決め突起１０ａｃが形成されている。つまり照明本体１０に対して回動される回動部材１３ａの裏面に、それぞれの回動位置に対応した複数の位置決め凹部１３ａｅを形成し、照明本体１０に固定されたエンドキャップ１０ａの表面に位置決め突起１０ａｃを形成して、その位置決め突起１０ａｃを、位置決め凹部１３ａｅのいずれかに選択的に嵌合させることによって、回動位置が特定される。なお回動位置を標準としたときには、２本の電極棒１３ｃが基板１１の幅方向に整列する。
【００４０】
位置決め突起１０ａｃは、望ましくは、平面視したとき、エンドキャップ１０ａに舌状の切欠輪郭を有する切欠突片１０ａｄを設けてその先端部に形成するとよい。そうすれば、切欠突片１０ａｄの弾性力と押圧力に応じて位置決め突起１０ａｃが滑らかに前後動するようになる。そのため位置決め突起１０ａｃと位置決め凹部１３ａｅとの係合強度、すなわち回動部材１３ａを回動させるために必要となる回転力を自由に設定でき、嵌合の際に適度なクリック感を持たせることができる。なお、位置決め凹部１３ａｅ、位置決め突起１０ａｃを複数組設けた場合は、その一部にだけ切欠突片１０ａｄを適用してもよい。また位置決め突起１０ａｃは回動部材１３ａの基部１３ａｂの裏面に形成し、位置決め凹部１３ａｅはエンドキャップ１０ａの表面に形成してもよい。
【００４１】
このように、位置決め突起１０ａｃと、位置決め凹部１３ａｅとの組合せによって、回動部材１３ａの回動位置を特定して、その回動位置を保持する構成としているので、ランプ１の両側で回動部材１３ａの回動位置を一致させることが容易になる。そのためソケットにランプ１を装着する際に何度も回動位置を調節し直す必要がなくなる。またソケットに装着された後のランプ１は、回動位置が容易に変わらないので、ランプ１の掃除なども気安くできるようになる。なお、回動位置が一目でわかるように、リング部材１３ｂには回動位置毎の位置ゲージ１３ｂｃを付し、回動部材１３ａにはその位置目盛を指す位置マーク１０ａｆを付すとよい。
【００４２】
なお、位置決め突起１０ａｃ、位置決め凹部１３ａｅは、それぞれ回動部材１３ａとリング部材１３ｂに設けてもよい。また、リング部材１３ｂおよびエンドキャップ１０ａを放熱部材１４（照明本体１０）に固定しているネジ２０を緩めて、回動部材１３ａを任意の回動位置に調節し、その後、ネジ２０を再び締めることによって、回動部材１３ａを固定する構成としてもよい。これらの場合も、リング部材１３ｂには回動位置毎の位置ゲージ１３ｂｃを付し、回動部材１３ａにはその位置目盛を指す位置マーク１０ａｆを付すとよい。
【００４３】
以下、参考のため、図８（ａ）、図８（ｂ）を参照しつつ、ランプ１が装着されるソケットの構成を説明する。ランプ１の口金部１３は、接地用と、給電用との２種別があるのは上記の通りであるが、同様に、ソケット２も、接地用と、給電用との２種別がある。言うまでもないが、接地用ソケット２Ａ、給電用ソケット２Ｂは、ランプ１に対して一対で使用される。すなわち、それらはランプ１の管長に適合する距離を隔てて、受金部２１を向かい合わせにして、照明器具の本体、あるいは建造物の天井面等に固定、設置される。
【００４４】
接地用ソケット２Ａは、図８（ａ）に示すように、照明器具本体、あるいは建造物の天井面に固定される脚部２２と、ランプ１の接地用口金部１３Ａに適合する受金部２１とを備える。すなわち接地用口金部１３Ａは、電極棒１３ｃが挿入される一対の電極穴２１ａが形成された絶縁性の受金部材２１ｄと、その電極穴２１ａのそれぞれの奥に収容、固定された一対のバネ式電極（不図示）とからなる。バネ式電極は、毛抜きを小型化したようなもので、電極穴２１ａの開口に対して開口部を向けた状態で収容されている。そして刃に相当する部分の間に押し込まれた電極棒１３ｃを弾性力によって挟持して電気的に接続する。さらに接地用ソケット２Ａは、接地用口金部１３Ａに設けられている受金制限突起１３ａｃが挿入される受穴２１ｂが形成されている。受穴２１ｂは、受金制限突起１３ａｃと同様に楕円形の広がりを有する。なお接地用ソケット２Ａは、受金部材２１ｄが弾性体（不図示）によって前進方向の付勢力を受けた状態で脚部２２に収容されており、その受金部材２１ｄはランプ１の装着時には脚部２２の奥に押し込まれ、装着後は再び前進してランプ１を保持するようになっている。
【００４５】
一方給電用ソケット２Ｂは、図８（ｂ）に示すように、接地用ソケット２Ａと基本的には同様の構造を有しており、異なるのは次の点である。すなわち、接地用ソケット２Ｂの受金部２１を構成する受金部材２１ｄは、電極棒１３ｃが挿入される電極穴２１ａ、受金制限突起１３ａｃが挿入される受穴２１ｂに加えて、口金制限突条２１ｃが形成されている。口金制限突条２１ｃは、受金部材２１ｄの中心付近から上方向（天井側）に延びている。また給電用ソケット２Ｂは、受金部材２１ｄが脚部２２に対して移動不可能に固定されている。
【符号の説明】
【００４６】
１          ランプ
１０        照明本体
１０ａ      エンドキャップ
１０ａｃ    位置決め突起
１０ａｄ    切欠突片
１１ａ      発光源
１３        口金部
１３ａ      回動部材
１３ａａ    台座部
１３ａｄ    切欠部
１３ａｅ    位置決め凹部
１３ａｂ    基部
１３ｂ      リング部材
１３ｂａ    回動制限爪
１３ｂｄ    開口
１３ｂｅ    拡径部
１３ｃ      電極棒
【図１】
0005938210.tif 000002
【図２】
0005938210.tif 000003
【図３】
0005938210.tif 000004
【図４】
0005938210.tif 000005
【図５】
0005938210.tif 000006
【図６】
0005938210.tif 000007
【図７】
0005938210.tif 000008
【図８】
0005938210.tif 000009